(57)【要約】      （修正有）【課題】自身が自動的に回転してコットン条を脱水可能なモップを提供する。【解決手段】外チューブ１０と、内チューブ２０と、円盤体８０と、規制具と、ガイド具と、螺旋条と、ロック構造と、を含み、外チューブと内チューブとが互いに摺動可能であり、円盤体の底部にコットン条が複数設けられ、円盤体の上部の中央が内チューブの底端に枢着される。さらに、内チューブを鉛直状態にするときには、円盤体と内チューブとがロック状態になり、螺旋条がガイド部内の螺旋レールに対応し、ラチェットにより螺旋条を上下摺動するときに内チューブが一方向だけに回転し、ロック構造６０により内外チューブをロック状態、又は緩め状態にすることができる。又、外チューブを下に摺動することにより、内チューブがガイド具に駆動されて回転し、ひいては円盤体も回転するようになり、遠心力によりコットン条８１に付着する水が除かれる。【選択図】図１
0003163940.tif 000002
【実用新案登録請求の範囲】
【請求項１】
外チューブと、内チューブと、円盤体と、規制具と、ガイド具と、螺旋条と、ロック構造と、を含み、
前記内チューブは、その上端が前記外チューブの底端と互いに嵌め可能であり、前記外チューブの軸方向に沿って前記外チューブを上下摺動可能であり、その中段にストップスリーブが設けられ、前記外チューブが前記ストップスリーブと接触するまで下に摺動可能であり、その底端に定位構造が設けられ、前記定位構造は二つのストリップを有し、前記二つのストリップの間にＵ字形溝が形成され、前記Ｕ字形溝の底部に圧制具が設けられ、
前記圧制具は、バネと、前記バネに付勢されるスチール玉と、から構成され、前記二つのストリップには、互いに対応する貫通孔がそれぞれ設けられ、前記二つのストリップの下縁には、下外に延びるラグが設けられ、
前記円盤体は、その底部にコットン条が複数設けられ、その上部の中央には、前記Ｕ字形溝を挿入可能な枢着座が設けられ、前記枢着座は、枢着穴を有し、その上部には、前記内チューブの底端にある前記スチール玉に対応する円形溝が設けられ、前記内チューブが鉛直状態にあるときには、前記定位構造の前記ラグと前記スチール玉とが前記円盤体の上面を緊迫し、これにより、前記円盤体と前記内チューブとがロック状態になり、前記内チューブが傾斜状態にあるときには、前記定位構造が前記円盤体の上面を緊迫せず、前記円盤体が回動可能であり、
前記規制具は、中空を呈し、前記内チューブの上端の開口内に設けられ、その底端の内縁に上向きラチェットが設けられ、
前記ガイド具は、その内部に螺旋レールが設けられ、前記規制具を上下摺動可能であり、その底端には、前記上向きラチェットに対応する下向きラチェットが設けられ、これにより、前記ガイド具は一方向だけに回転可能であり、
前記螺旋条は、前記外チューブ内に固定され、前記ガイド具の前記螺旋レールに挿入可能であり、前記螺旋条を軸方向に沿って上下摺動するときには、前記ガイド具が駆動されて回転し、
前記ロック構造は、内括りスリーブと、外挟み円筒と、Ｕ字形引き体と、有し、前記内括りスリーブは、上段が前記外チューブの底端に固定され、下段の外周縁に下へ拡径する円錐体が形成され、前記円錐体には、その軸方向に沿う割り溝が設けられ、前記内括りスリーブの両側に定位穴がそれぞれ設けられ、前記外挟み円筒は、前記内括りスリーブを嵌め、その上段部には、前記内括りスリーブの前記定位穴に対応する嵌め穴が設けられ、前記二つの嵌め穴の穴径は前記定位穴の穴径よりも大きく、前記外挟み円筒の下段に下へ拡径するラッパ形状体が形成され、前記Ｕ字形引き体の両側の内縁は、前記内括りスリーブの前記定位穴と、前記外挟み円筒の前記嵌め穴と、に対向し、前記Ｕ字形引き体の両側に旋回軸を嵌め込み可能であり、前記Ｕ字形引き体の両側はそれぞれ凸部を有し、前記凸部が前記嵌め穴内に位置し、前記Ｕ字形引き体を下に引くと、前記凸部が前記外挟み円筒の前記嵌め穴の上縁に押付けて前記外挟み円筒が上に移動し、これにより、前記内括りスリーブの前記円錐体が緩み状態になって、前記内チューブが前記外チューブに対して進出することができ、前記Ｕ字形引き体を上に引くと、前記凸部が前記外挟み円筒の前記嵌め穴の下縁に押付けて前記外挟み円筒が下に移動し、これにより、前記内括りスリーブの前記円錐体が緊迫状態になって、前記内チューブと前記外チューブとがロック状態になることを特徴とする自動脱水可能なモップ。
【請求項２】
前記螺旋条に複数の緩衝リングを嵌め設けてもいいことを特徴とする、請求項１に記載の自動脱水可能なモップ。
【請求項３】
更に、脱水バケツを含み、前記脱水バケツは回転自在な水溜り槽を有し、前記水溜り槽に前記円盤体を放置することができることを特徴とする、請求項１に記載の自動脱水可能なモップ。
【考案の詳細な説明】
【技術分野】
【０００１】
本考案は、モップに関し、特に、自身が自動的に回転してコットン条を脱水可能なモップに関するものである。
【背景技術】
【０００２】
モップは床面を清潔するためのものであり、従来のモップにあるコットン条はユーザの手で絞って脱水することが必要であるため、体力が掛かり、且つユーザの手が汚染される問題があった。このような問題を解決するために、ペダルを踏込むことにより水溜り槽を回転して、遠心力により水溜り槽に放置するモップにあるコットン条を脱水するものが提案されて市販になる。しかし、このようなものによれば、ユーザの足はペダルを持続に踏込むことが必要であり、そうすると、操作が極めて面倒であり、且つ操作中にユーザの立ちが不安定であると、倒れる危険性がある。
【考案の概要】
【考案が解決しようとする課題】
【０００３】
本考案の主な目的は、自身が自動的に回転してコットン条を脱水可能なモップを提供することにある。
【課題を解決するための手段】
【０００４】
本考案の自動脱水可能なモップによると、外チューブと、内チューブと、円盤体と、規制具と、ガイド具と、螺旋条と、ロック構造と、を含み、
前記内チューブは、その上端が前記外チューブの底端と互いに嵌め可能であり、前記外チューブの軸方向に沿って前記外チューブを上下摺動可能であり、その中段にストップスリーブが設けられ、前記外チューブが前記ストップスリーブと接触するまで下に摺動可能であり、その底端に定位構造が設けられ、前記定位構造は二つのストリップを有し、前記二つのストリップの間にＵ字形溝が形成され、前記Ｕ字形溝の底部に圧制具が設けられ、
前記圧制具は、バネと、前記バネに付勢されるスチール玉と、から構成され、前記二つのストリップには、互いに対応する貫通孔がそれぞれ設けられ、前記二つのストリップの下縁には、下外に延びるラグが設けられ、
前記円盤体は、その底部にコットン条が複数設けられ、その上部の中央には、前記Ｕ字形溝を挿入可能な枢着座が設けられ、前記枢着座は、枢着穴を有し、その上部には、前記内チューブの底端にある前記スチール玉に対応する円形溝が設けられ、前記内チューブが鉛直状態にあるときには、前記定位構造の前記ラグと前記スチール玉とが前記円盤体の上面を緊迫し、これにより、前記円盤体と前記内チューブとがロック状態になり、前記内チューブが傾斜状態にあるときには、前記定位構造が前記円盤体の上面を緊迫せず、前記円盤体が回動可能であり、
前記規制具は、中空を呈し、前記内チューブの上端の開口内に設けられ、その底端の内縁に上向きラチェットが設けられ、
前記ガイド具は、その内部に螺旋レールが設けられ、前記規制具を上下摺動可能であり、その底端には、前記上向きラチェットに対応する下向きラチェットが設けられ、これにより、前記ガイド具は一方向だけに回転可能であり、
前記螺旋条は、前記外チューブ内に固定され、前記ガイド具の前記螺旋レールに挿入可能であり、前記螺旋条を軸方向に沿って上下摺動するときには、前記ガイド具が駆動されて回転し、
前記ロック構造は、内括りスリーブと、外挟み円筒と、Ｕ字形引き体と、有し、前記内括りスリーブは、上段が前記外チューブの底端に固定され、下段の外周縁に下へ拡径する円錐体が形成され、前記円錐体には、その軸方向に沿う割り溝が設けられ、前記内括りスリーブの両側に定位穴がそれぞれ設けられ、前記外挟み円筒は、前記内括りスリーブを嵌め、その上段部には、前記内括りスリーブの前記定位穴に対応する嵌め穴が設けられ、前記二つの嵌め穴の穴径は前記定位穴の穴径よりも大きく、前記外挟み円筒の下段に下へ拡径するラッパ形状体が形成され、前記Ｕ字形引き体の両側の内縁は、前記内括りスリーブの前記定位穴と、前記外挟み円筒の前記嵌め穴と、に対向し、前記Ｕ字形引き体の両側に旋回軸を嵌め込み可能であり、前記Ｕ字形引き体の両側はそれぞれ凸部を有し、前記凸部が前記嵌め穴内に位置し、前記Ｕ字形引き体を下に引くと、前記凸部が前記外挟み円筒の前記嵌め穴の上縁に押付けて前記外挟み円筒が上に移動し、これにより、前記内括りスリーブの前記円錐体が緩み状態になって、前記内チューブが前記外チューブに対して進出することができ、前記Ｕ字形引き体を上に引くと、前記凸部が前記外挟み円筒の前記嵌め穴の下縁に押付けて前記外挟み円筒が下に移動し、これにより、前記内括りスリーブの前記円錐体が緊迫状態になって、前記内チューブと前記外チューブとがロック状態になることを特徴とする。
【０００５】
本考案の自動脱水可能なモップによると、前記螺旋条に複数の緩衝リングを嵌め設けてもいいことを特徴とする。
【０００６】
本考案の自動脱水可能なモップによると、更に、脱水バケツを含み、前記脱水バケツは回転自在な水溜り槽を有し、前記水溜り槽に前記円盤体を放置することができることを特徴とする。
【考案の効果】
【０００７】
本考案の自動脱水可能なモップによれば、モップ自身が自動的に回転してコットン条を脱水することができるという効果を有する。
【図面の簡単な説明】
【０００８】
【図１】本考案の一実施例の組合済み状態の斜視図である。
【図２】本考案の一実施例の分解斜視図である。
【図３】本考案の円盤体と内チューブとの結合部分を示す分解斜視図である。
【図４】本考案の円盤体と内チューブとがロックされた状態の断面図である。
【図５】本考案の円盤体と内チューブとが緊迫されていない状態の模式図である。
【図６】本考案のロック構造がロックされた状態の模式図である。
【図７】本考案のロック構造がロックされていない状態の模式図である。
【図８】本考案の一実施例が脱水バケツに置かれている状態の模式図である。
【考案を実施するための最良の形態】
【０００９】
以下、本考案の実施の形態を図面に基づいて説明する。
まず、図１乃至図８を参照する。本考案の自動脱水可能なモップは、外チューブ１０と、内チューブ２０と、規制具３０と、ガイド具４０と、螺旋条５０と、ロック構造６０と、ストップスリーブ７０と、円盤体８０と、を含む。
【００１０】
外チューブ１０は、中空なチューブで構成され、その上端に握り部１１が設けられる。
【００１１】
内チューブ２０は、中空なチューブで構成され、その上端が外チューブ１０の底端と互いに嵌め可能であり、外チューブ１０の軸方向に沿って外チューブ１０を上下摺動可能であり、その底端に定位構造２１が設けられ、定位構造２１は二つのストリップ２１１を有し、二つのストリップ２１１の間にＵ字形溝２１２が形成され、Ｕ字形溝２１２の底部に圧制具２１３が設けられ、圧制具２１３は、バネ２１３１と、バネ２１３１に付勢されるスチール玉２１３２と、から構成され、二つのストリップ２１１には、互いに対応する貫通孔２１１１がそれぞれ設けられ、二つのストリップ２１１の下縁には、下外に延びるラグ２１１２が設けられる。
【００１２】
規制具３０は、中空を呈し、その上端に開口が設けられ、前記開口が上に向くように内チューブ２０の上端の開口内に設けられ、その底端の内縁に上向きラチェット３１が設けられ、規制具３０の上端の開口には、貫通孔３２１を有する固定リング３２が設けられる。
【００１３】
ガイド具４０は、その内部に螺旋レール４１が設けられ、固定リング３２により規制具３０の内部だけに摺動可能であり、ガイド具４０の底端には、上向きラチェット３１に対応する下向きラチェット４２が設けられる。
【００１４】
螺旋条５０は、上端にある固定ブロック５１を介して外チューブ１０内に固定され、ガイド具４０の螺旋レール４１に挿入可能であり、螺旋条５０を軸方向に沿って上下摺動するときには、ガイド具４０が駆動されて回転する。外チューブ１０を下に摺動するときには、ガイド具４０の下向きラチェット４２が規制具３０の上向きラチェット３１と係合するため、ガイド具４０の回転により内チューブ２０が回転する。なお、外チューブ１０を上に摺動するときには、ガイド具４０の下向きラチェット４２が規制具３０の上向きラチェット３１と係合しないため、ガイド具４０が空回る。
【００１５】
また、螺旋条５０に複数の緩衝リング５２を嵌め設けてもいい。緩衝リング５２により、螺旋条５０の上下摺動を緩衝することができる。
【００１６】
ロック構造６０は、内括りスリーブ６１と、外挟み円筒６２と、Ｕ字形引き体６３と、有する。内括りスリーブ６１は、上段が外チューブ１０の底端に固定され、下段の外周縁に下へ拡径する円錐体６１１が形成される。円錐体６１１には、その軸方向に沿う割り溝６１２が設けられる。内括りスリーブ６１の両側に定位穴６１３がそれぞれ設けられる。外挟み円筒６２は、内括りスリーブ６１を嵌め、その上段部には、内括りスリーブ６１の定位穴６１３に対応する嵌め穴６２１が設けられ、二つの嵌め穴６２１の穴径は定位穴６１３の穴径よりも大きい。外挟み円筒６２の下段に下へ拡径するラッパ形状体６２２が形成される。Ｕ字形引き体６３の両側の内縁は、内括りスリーブ６１の定位穴６１３と、外挟み円筒６２の嵌め穴６２１と、に対向する。Ｕ字形引き体６３の両側に旋回軸６３１を嵌め込み可能であり、Ｕ字形引き体６３の両側はそれぞれ凸部６３２を有し、凸部６３２が嵌め穴６２１内に位置する。Ｕ字形引き体６３を下に引くと、凸部６３２が外挟み円筒６２の嵌め穴６２１の上縁に押付けて外挟み円筒６２が上に移動する。これにより、内括りスリーブ６１の円錐体６１１が緩み状態になって、内チューブ２０が外チューブ１０に対して進出することができる。なお、Ｕ字形引き体６３を上に引くと、凸部６３２が外挟み円筒６２の嵌め穴６２１の下縁に押付けて外挟み円筒６２が下に移動する。これにより、内括りスリーブ６１の円錐体６１１が緊迫状態になって、内チューブ２０と外チューブ１０とがロック状態になる。
【００１７】
また、内括りスリーブ６１の割り溝６１２の数量は四つある。
ストップスリーブ７０は内チューブ２０の中段に設けられる。外チューブ１０は、ストップスリーブ７０に接触するまで内チューブ２０に沿って下に摺動可能である。
【００１８】
円盤体８０は、その底部にコットン条８１が複数設けられ、その上部の中央には、内チューブ２０の底端にあるＵ字形溝２１２を挿入可能な枢着座８２が設けられる。枢着座８２は、枢着穴８２１を有し、その上部には、内チューブ２０の底端にある定位構造２１のスチール玉２１３２に対応する円形溝８２２が設けられる。枢着ロッド８２３は、枢着座８２の枢着穴８２１と、内チューブ２０の底端にある定位構造２１の貫通孔２１１１と、を挿通することにより、円盤体８０の内チューブ２０に枢着される。内チューブ２０が鉛直状態にあるときには、定位構造２１のラグ２１１２とスチール玉２１３２とが円盤体８０の上面を緊迫する。これにより、円盤体８０と内チューブ２０とがロック状態になる。なお、内チューブ２０が傾斜状態にあるときには、定位構造２１のラグ２１１２とスチール玉２１３２とが円盤体８０の上面を緊迫せず、円盤体８０が回動可能である。
【００１９】
本考案の自動脱水可能なモップは、更に、脱水バケツ９０を含み、脱水バケツ９０は回転自在な水溜り槽９１を有し、水溜り槽９１に円盤体８０を放置することができる。
【００２０】
上記の構成によれば、ロック構造６０がロック状態にあり、円盤体８０と内チューブ２０とがロックしていない状態にある場合には、本考案の自動脱水可能なモップにより床面を清潔することができる。なお、本考案の自動脱水可能なモップを洗浄した後、円盤体８０とコットン条８１とに付着される水を除けたい場合には、ロック構造６０のＵ字形引き体６３を下に引くと、内チューブ２０が外チューブ１０に対して進出することができ、且つ内チューブ２０を鉛直状態にすることにより、円盤体８０と内チューブ２０とがロック状態になり、このとき、水溜り槽９１内に円盤体８０を放置して、外チューブ１０を下に摺動することにより、内チューブ２０がガイド具４０に駆動されて回転し、ひいては円盤体８０も回転するようになり、遠心力によりコットン条８１に付着される水が除けられる。
【産業上の利用可能性】
【００２１】
本考案は、モップに適用することができる。
【符号の説明】
【００２２】
１０：外チューブ
１１：握り部
２０：内チューブ
２１：定位構造
３０：規制具
３１：上向きラチェット
３２：固定リング
４０：ガイド具
４１：螺旋レール
４２：下向きラチェット
５０：螺旋条
５１：固定ブロック
５２：緩衝リング
６０：ロック構造
６１：内括りスリーブ
６２：外挟み円筒
６３：Ｕ字形引き体
７０：ストップスリーブ
８０：円盤体
８１：コットン条
８２：枢着座、
９０：脱水バケツ
９１：水溜り槽
２１１：ストリップ
２１２：Ｕ字形溝
２１３：圧制具
３２１：貫通孔
６１１：円錐体
６１２：割り溝
６１３：定位穴
６２１：嵌め穴
６２２：ラッパ形状体
６３１：旋回軸
６３２：凸部
８２１：枢着穴
８２２：円形溝
８２３：枢着ロッド
２１１１：貫通孔
２１１２：ラグ
２１３１：バネ
２１３２：スチール玉
【図１】
0003163940.tif 000003
【図２】
0003163940.tif 000004
【図３】
0003163940.tif 000005
【図４】
0003163940.tif 000006
【図５】
0003163940.tif 000007
【図６】
0003163940.tif 000008
【図７】
0003163940.tif 000009
【図８】
0003163940.tif 000010